(57)【要約】      （修正有）【課題】長寿命のブラシ付モータを提供する。【解決手段】電動モータアセンブリ用の曲線状のブラシリテーナ２００Ａ、２００Ｂ及びブラシ３０は端板６０を包含し、この端板に一対の曲線状のブラシリテーナ２００Ａ、２００Ｂが配設されている。これらのブラシリテーナ２００Ａ、２００Ｂは、一対の曲線状のブラシ３０が電動モータの整流子に対して偏倚されたときにこれらのブラシを保持及び支持するようにしている。ブラシの曲線状の形状は、これらのブラシが延長した物理的な長さを有することができるようにし、これにより電動モータが延長した作動寿命を有することができるようにする。【選択図】図２
2010119232.tif 000002
【特許請求の範囲】
【請求項１】
整流子から延びているシャフトを有する電動モータのための端板であって、
第１の表面、この第１の表面と反対側の第２の表面及び開口を有し、前記シャフトが前記開口を通過している取付け部分と、
前記第１の表面に設けられ、前記開口から延びて曲線状の通路を画成する一対の曲線状のブラシリテーナと、
各々が前記曲線状のブラシリテーナの各々により前記整流子に向かって案内されている一対の曲線状のブラシと、
を包含している端板。
【請求項２】
請求項１記載の端板において、前記通路の曲率と前記ブラシの曲率とがほぼ同じである端板。
【請求項３】
請求項１記載の端板において、前記曲線状のブラシリテーナが支持部材により互いに離されて間隔を置いている外側部材と内側部材とを包含している端板。
【請求項４】
請求項３記載の端板において、更に、前記外側及び内側部材の一方から前記外側及び内側部材の他方へ向かって延びている保持部材を包含している端板。
【請求項５】
請求項３記載の端板において、更に、前記外側部材と前記内側部材との間に設けた開口スロットを包含している端板。
【請求項６】
曲線状のブラシを用いる電動モータ装置であって、
回転可能なシャフトを有するモータアセンブリと、
前記シャフトに連結されているファンを有するファンアセンブリと、
前記モータアセンブリ及び前記ファンアセンブリを担持している端板と、
を包含し、前記端板が、
取付け面、この取付け面と反対側の入口面及び開口を有し、前記シャフトが前記開口を通過している板部分と、
前記取付け面に設けられている一対の曲線状のブラシリテーナと、
を包含し、前記ブラシリテーナが互いに間隔を置いている曲線状の外側部材と曲線状の内側部材とを包含し、これらの外側及び内側部材が前記開口から軸方向へ延びて、整流子に隣接する曲線状の通路を画成し、この曲線状の通路が対応するひとつのブラシを保持している電動モータ装置。
【請求項７】
請求項６記載の電動モータ装置において、前記端板が、更に、前記曲線状の外側部材から前記内側部材に向かって横に延びている保持部材を包含している電動モータ装置。
【請求項８】
請求項６記載の電動モータ装置において、前記端板が、更に、前記開口の付近の前記通路の区域に前記板部分を貫通して設けたスロットを包含している電動モータ装置。
【請求項９】
請求項６記載の電動モータ装置において、前記端板が、更に、各々が前記ブラシの各々に作動的に接触している一対のバイアスばね装置を包含し、これらの各バイアスばね装置が前記ブラシの各々を前記整流子に向かって付勢するようにしている電動モータ装置。
【請求項１０】
請求項９記載の電動モータ装置において、前記バイアスばね装置が前記内側及び外側部材に関して中心部に配置されている一対のばねホルダーを包含し、これらのばねホルダーが前記板部分から延びて前記バイパスばね装置を保持するようにしている電動モータ装置。
【請求項１１】
請求項１０記載の電動モータ装置において、前記バイアスばね装置が、更に、保持レッグ及びバイアスレッグを有するバイアスばねを包含し、また前記ばねホルダーが前記保持レッグを保持するレッグリテーナを有し、前記バイアスレッグが前記ブラシの端により受け止められて、前記ブラシを前記整流子に向かって付勢するようにしている電動モータ装置。
【請求項１２】
請求項６記載の電動モータ装置において、前記端板が、更に、前記板部分から延びている一対のモータブラケットを包含し、これらのモータブラケットが前記モータアセンブリを保持するようにしている電動モータ装置。
【請求項１３】
請求項６記載の電動モータ装置において、前記端板及び前記ブラシリテーナがオープンモールド成形又はクローズドモールド成形により形成されている電動モータ装置。
【請求項１４】
請求項６記載の電動モータ装置において、前記端板及び前記ブラシリテーナが熱硬化性ポリエステルから形成されている電動モータ装置。
【発明の詳細な説明】
【技術分野】
【０００１】
本発明は、一般には、電動モータ装置に関する。詳細には、本発明はブラシの長さを増大せしめて電動モータの作動寿命を延ばす、モールド成形の曲線状のブラシを用いる電動モータ装置に関する。より詳細には、本発明は曲線状のブラシを電動モータの整流子と整列せしめる曲線状のブラシリテーナを備える電動モータ装置に関する。
【背景技術】
【０００２】
電動モータ、例えばＤＣ（直流）電動モータは、モータの電機子により回転可能に担持されている整流子に電流を供給するためにカーボンブラシを用いる。過去において、ブラシは直線状の形状を有するように形成され、このような直線状のブラシは産業全体において一般的に採用され、その結果多くのＤＣ電動モータにおいて用いられている。
【０００３】
ＤＣ又はＡＣ電動モータの設計のために、ブラシはモータの作動の間中整流子に連続して物理的に接触している。更に、ブラシにより供給された電流の整流子によるスイッチングのために、所定量の電気スパーク／アークが発生する。したがって、モータの作動の間中にブラシに付与される物理的応力及び電気的応力の両応力は、モータのブラシ以外の他の構成部品が破損する前に、典型的にブラシを非常にすり減らしてしまう作動環境を生じせしめる。その結果、ブラシの破損がＤＣモータの故障の主たる原因のひとつとなる。ブラシを取り替えてモータを連続して作動せしめることができるけれども、このような努力はあきあきし、また時間を浪費すると共にコストがかかる。
【０００４】
ブラシの摩耗により電動モータの作動寿命が減少する問題を除去するために、ブラシの物理的な長さを延ばし、これによりブラシがより長い期間の間作動することができるようにする試みがなされている。しかしながら、電動モータは、一般には、ただ単に標準のブラシ長さを用いるモータと適合するのに十分である面積を有するように予め設計されている電気機械部品の既存のアセンブリの中に組み込まれる。モータを囲繞する電気機械部品を取り囲む物理的な構成はより長い長さのブラシと適合するように改変することができるけれども、完成装置を形成する全体のアセンブリと関連する他の設計上の制約がまた強く与えられる。したがって、完成製品又は装置の大部分の再設計がより長い長さの直線状のブラシと適合するために要求される。
【０００５】
したがって、典型的な直線状のブラシの寿命以上に延びたブラシ寿命を提供することができるＤＣ電動モータ用の曲線状のブラシが必要とされている。また、モータが取り付けられる端板の寸法を増大することなしに、曲線状のブラシを支持するようにしている曲線状のブラシリテーナが必要とされている。更に、曲線状のブラシリテーナであって、モータの作動中における整流子とブラシとの間のスパークを減少せしめるために、ブラシの作動寿命の間中曲線状のブラシの端の単一の区域に力を連続して加えることができるようにしたばねを包含するブラシリテーナが必要とされている。
【発明の開示】
【発明が解決しようとする課題】
【０００６】
上述したことに鑑み、本発明の目的は電動モータ装置用の曲線状のブラシリテーナ及びブラシを提供することにある。
【課題を解決するための手段】
【０００７】
本発明の一態様によれば、整流子から延びているシャフトを有する電動モータのための端板であって、第１の表面、この第１の表面と反対側の第２の表面及び開口を有し、前記シャフトが前記開口を通過している取付け部分と、前記第１の表面に設けられ、前記開口から延びて曲線状の通路を画成する一対の曲線状のブラシリテーナと、各々が前記曲線状のブラシリテーナの各々により前記整流子に向かって案内されている一対の曲線状のブラシとを包含している端板が提供される。
【０００８】
本発明の他の態様によれば、曲線状のブラシを用いる電動モータ装置であって、回転可能なシャフトを有するモータアセンブリと、前記シャフトに連結されているファンを有するファンアセンブリと、前記モータアセンブリ及び前記ファンアセンブリを担持している端板とを包含し、前記端板が、取付け面、この取付け面と反対側の入口面及び開口を有し、前記シャフトが前記開口を通過している板部分と、前記取付け面に設けられている一対の曲線状のブラシリテーナとを包含し、前記ブラシリテーナが互いに間隔を置いている曲線状の外側部材と曲線状の内側部材とを包含し、これらの外側及び内側部材が前記開口から軸方向へ延びて、整流子に隣接する曲線状の通路を画成し、この曲線状の通路が対応するひとつのブラシを保持している電動モータ装置が提供される。
【発明を実施するための最良の形態】
【０００９】
本発明の目的、技術及び構成を完全に理解するために、下記の詳細な説明及び添付図面が次に参照される。
【００１０】
図１に示されているように、符号１０により総括的に示されている電動モータ装置は、一般に、ＤＣ（直流）モータアセンブリ１２及びファンアセンブリ１４を包含する。モータアセンブリ１２は電機子２０を包含し、電機子２０は一対の曲線状のブラシ３０から電流を受けるようにされている整流子２４を担持する。電機子２０は固定薄層積重体３４の中に回転可能に配置され、固定薄層積重体３４は多数の界磁巻線４０を包含する。電機子２０はシャフト４２により担持され、シャフト４２はその両端５０及び５４の各々でそれぞれの軸受５６及び５８により回転可能に支持されている。ＤＣモータアセンブリが示されているけれども、ここに開示した本発明の概念はＡＣモータアセンブリと一緒に用いるように適用可能であることを認識されよう。
【００１１】
モータアセンブリ１２の作動の間中、電流はブラシ３０を介して整流子２４に供給され、これにより電機子２０を固定薄層積重体３４の中で回転させることができ、これによりファンアセンブリ１４に近接する、シャフト４２の一端５４に駆動力を与える。モータアセンブリ１２は端板６０により支持され、端板６０は整流子２４に近接する、シャフト４２の一端に取り付けられ、これにより端板６０は中央穴６４を保持し、シャフト５２の一端５４が中央穴６４を通過する。
【００１２】
下記の説明は端板６０をファンアセンブリ１４と一緒に使用することに関しているけれども、端板６０は独立して用いることができ、例えばシャフト４２からの駆動力が必要とされている任意のアセンブリと一緒に用いることができることを認識されよう。
【００１３】
図１及び図２を参照するに、ファンアセンブリ１４は例えばナットのような任意適当な固定具（図示せず）によりモータシャフト４２の一端５４に連結されているファン７０を包含する。ファン７０と端板６０との間にはディフューザアセンブリ７４が介在され、ディフューザアセンブリ７４は第１のディフューザ板８０及び第２のディフューザ板８４を包含する。当業者には認識されるように、これらのディフューザ板はモータアセンブリを通して空気を有効に動かすようにしている。図示していないけれども、ディフューザ板及びシュラウドはラジアル又はタンジェンシャルバイパスブロワーの構成とすることができることを認識されよう。ディフューザアセンブリ７４は、端板６０に取り付けられて、ファン７０に関して固定位置にある。シュラウド８６がファンアセンブリ１４の外側部分を覆っており、シュラウド８６は任意適当な手段、例えば摩擦ばめ又はステーキングを用いて端板６０に接続される。シュラウド８６はカバー部分８８を包含し、カバー部分８８はその中央に位置したインテークポート９０を有し、インテークポート９０はモータアセンブリ１２のシャフト４２の軸線と同軸に形成されている。インテークポート９０は空気をシュラウド８６の中に吸い込むことができるようにし、空気はシュラウド８６で加圧又は圧縮され、これらのディフューザアセンブリ７４へ供給される。空気は、ディフューザアセンブリ７４でシュラウド８６の内側部分へ排出され、モータアセンブリ１２は向かわされる。
【００１４】
下記の説明で重要な部分を占める端板６０は、縁１０２を有する平らな板部分１００を包含している。図１には板部分１００が平らな形状として示されているけれども、板部分１００は任意の所望する形状を有することができることを認識すべきである。更に、端板６０は任意適当な材料、例えばプラスチック又は他の高分子材料から形成することができる。一例として、端板６０は熱硬化性ポリエステルから形成することができる。また、一例として、端板６０は“オープン”モールド成形方法又は“クローズド又はシャット”成形方法を用いて形成することができる。しかし、任意の他の適当な製作技術が端板６０を形成するのに用いることができるものである。更に、ＤＣモータアセンブリが示されているけれども、ここに開示した本発明の概念はＡＣモータアセンブリを一緒に用いるように適用可能であることを認識されよう。
【００１５】
説明を続けるに、平らな板部分１００は取付け面１１０を包含し、取付け面１１０は入口面１２０と反対側である。一対のモータブラケット１３０Ａ及び１３０Ｂが取付け面１１０から実質的に垂直に延びており、これらのモータブラケット１３０Ａ及び１３０Ｂはそれぞれ取付け穴１４０Ａ及び１４０Ｂを有する。モータブラケット１３０Ａ及び１３０Ｂは、これらのモータブラケットに取り付けられるモータアセンブリ１２の寸法と適応するように適当な距離だけ互いに離れて間隔を置いている。
【００１６】
モータアセンブリ１２は、図１に示されている保持ブラケット１５０によりモータブラケット１３０Ａ及び１３０Ｂに取り付けられている。保持ブラケット１５０は中央穴１５４を有する軸受リテーナ１５２を包含し、中央穴１５４は電機子シャフト４２と同軸となるように形成されている。また、軸受リテーナ１５２はその中に軸受５６を保持するようにして、シャフト４２の一端５０を通過させることができるようにし、したがって電機子２０の一端に対しての回転支持を提供する。保持ブラケット１５０は、また、軸受リテーナ１５２の両側部に位置する複数の保持穴１５６を包含し、これらの保持穴１５６は端板６０に設けられている取付け穴１４０Ａ及び１４０Ｂと整列するようにされている。例えばねじのような適当な固定具１５８が、保持穴１５６を通して取り付けられて、取付け穴１４０Ａ及び１４０Ｂにより受け止められ、これによりモータアセンブリ１２を端板６０に保持するようにしている。
【００１７】
中央穴６４が、端板６０の取付け面１１０の中央区域に設けられて、取付け面１１０を貫通して延びている。中央穴６４は、モータシャフト４２の一端５４がこの中央穴６４を貫通して延びることができるような大きさとされ、これによりモータシャフト４２の一端５４をファンアセンブリ１４に連結することができる。図３−図８に示されているように、端板６０は図６及び図７に一層明確に示されている整流子レシーバ１６０を包含する。整流子レシーバ１６０は、モータシャフト４２の回転のための適当なクリアランスを提供すると共に、軸受５８を保持する。より詳細には、整流子レシーバ１６０は端板６０の入口面１２０から軸方向外向きに延びて、ウエル１７０を画成する。ウエル１７０は複数の段付き同心くぼみ１８０及び１８２を包含し、これらの同心くぼみ１８０及び１８２はその中に受け入れる整流子２４及び軸受５８の両方の形状と適合する。より詳細には、くぼみ１８０は電機子シャフト４２の一端５４を回転可能に支持するために用いた軸受５８を保持するような形状とされ、これに対しくぼみ１８２は整流子２４のためのクリアランスを提供する。
【００１８】
冷却空気が電機子２０及びブラシ３０を横切ることができるようにするために、端板６０は一対の空所１９０を包含し、これらの空所１９０はモータマウント１３０Ａ及び１３０Ｂと整流子レシーバ１６０との間の区域において端板６０の平らな板部分１００を貫通して設けられている。したがって、モータアセンブリ１２が端板６０に取り付けられたときには、ファン７０によりシュラウド８６の中に吸い込んだ空気は空所１９０を通して排出され、電機子２０及びブラシ３０を横切って流れる。
【００１９】
モータアセンブリ１２の作動の間中、ブラシ３０の、整流子２４との電気的接触を維持するために、一対の曲線状ブラシリテーナ２００Ａ及び２００Ｂが端板６０の取付け面１１０に設けられている。一対のブラシリテーナ２００Ａ及び２００Ｂは一方が他方の鏡像であって構造が実質的に同じであるので、下記の説明はブラシリテーナ２００Ａについてのみ行うことにする。
【００２０】
図面、特に図２−図４及び図７−図８に示されているように、ブラシリテーナ２００Ａは曲線状の形状であって、主として４つの部材、すなわち、内側部材２１０、外側部材２２０、支持部材２３０及び保持部材２４０から成る。部材２１０及び２３０はアーチ状又は曲線状の通路を形成するように協同し、この通路を通してブラシ３０が受け入れられて、容易にスライド又はスイープすることができ、これによりブラシ３０が整流子２４との接触を連続して維持することができる。ブラシリテーナ２００Ａは、板部分１００と一体成形されて、板部分１００から延びる。このようにすることにより、ブラシを担持する目的のために独立するブラシホルダーチューブを端板６０に保持又は固定する必要がない。
【００２１】
図４Ａ及び図４Ｂに示されているように、内側部材２１０及び外側部材２２０は端板６０の取付け面１１０からモータアセンブリ１２に向かって軸方向外向きにかつ実質的に垂直に延びている。また、内側部材２１０及び外側部材２２０は互いに実質的に同心であると共に支持部材２３０により互いに離されて間隔を置いており、これにより曲線状のブラシ３０の曲率と一致する曲線状の通路を画定する。しかしながら、内側及び外側部材２１０，２２０間の同心関係は要求されるものではないことを認識されよう。
【００２２】
曲線状ブラシ３０は、図１−図３に示されているように、典型的には、曲線の形状を有するような形成されている導電性カーボン材料から成る。曲線状の形状は、モールド成形方法又は他の適当な技術により形成することができる。ブラシ３０の曲線状の形状は、これらのブラシが、端板６０の縁１０２を越えることなしに、標準の直線状のブラシの長さ寸法により増大した長さ寸法を有することができるようにする。曲線状のブラシ３０のこのような特徴は、端板６０の区域内及びそのまわりの追加の区域を消費することなしにモータ装置１０の作動寿命を延ばすことができるようにする。換言すれば、ブラシ３０と同様に、ブラシリテーナ２００Ａ及び２００Ｂは端板６０の縁１０２を越えて延びることができないので、端板６０はモータアセンブリ１２のまわりの構成部品の区域が制限されている装置に用いることができ、かつ、モータ装置１０の作動寿命を増大せしめることができる。更に、端板６０は曲線状のブラシリテーナ２００Ａ及び２００Ｂと適合することができるような形状とすることができ、かつ、端板６０は直線状のブラシのために用いた直線状のブラシリテーナを保持するのに用いられている端板と同じ寸法を維持することができる。
【００２３】
外側部材２２０及び内側部材２１０は、端板６０の取付け面１１０から所定の距離延びるような寸法とされて、ブラシ３０の外側面３００及び内側面３１０の各々のための適当な支持を提供する。ブラシ３０は主として内側部材２１０により案内されているので、ブラシ３０の総高さを延ばすことは要求されない。一例として、内側部材２１０は、外側部材２２０が延びるよりも比較的少ない距離だけ端板６０から延びることができる。その結果、外側及び内側部材２２０，２１０とこれらの外側及び内側部材２２０及び２１０間に延びている支持部材２３０とにより形成した通路は、平らな板部分１００の外側の区域から整流子レシーバ１６０の付近の区域まで曲線状の形状で延びる。
【００２４】
整流子レシーバ１６０の付近のブラシリテーナ２００Ａの区域において、保持部材２４０は外側部材２２０から内側部材２１０に向かって実質的に垂直に延びていると共に外側部材２２０の曲率に追従している。保持部材２４０は外側及び内側部材２２０及び２１０間の距離の一部分の長さだけスパンすることができることを認識すべきである。更に、保持部材２４０は外側部材２２０の一部分の長さだけ延びるような形状とすることができる。その結果、保持部材２４０は主としてブラシ３０がブラシリテーナ２００Ａの外へ上向きに滑動するのを防止するような寸法とされている。外側部材２２０は、また、ブラシを保持するための、後述するばねにより加えられた力を打ち消す働きをする。図４Ａに明確に示されているように、開口スロット３４０が支持部材２３０を貫通して整流子レシーバ１６０の付近にまで延びている。このスロット３４０は、ブラシ３０からの破片又は粒子が端板６０を出ることができるようにして、これらの粒子が堆積することがないようにするために、またブラシ３０を冷却するためにファンアセンブリ１４からの冷却空気がスロット３４０を通過することができるようにするために、設けられている。図示した実施例において、スロット３４０は外側部材２２０の付近にある。しかしながら、他の実施例において、適当な大きさのスロットが支持部材２３０を貫通して延びることができる。しかしながら、スロット３４０を外側部材２２０の付近に設けることにより、くぼみ３４１を外側部材２２０に形成して、ブラシの表面を横切る空気の流れを一層多くすることができるものと考える。
【００２５】
図２及び図３に戻るに、ブラシ３０と整流子２４との間の連続する接触を維持するために、トーション又はバイアスばね４００及び関連するばねホルダー４１０が用いられている。ばねホルダー４１０は、端板６０の取付け面１１０から実質的に垂直に延びていると共に、曲線状の内側及び外側部材２１０，２２０の曲率の半径のほぼ中央の場所に設けられている。しかしながら、ばねホルダー４１０は内側及び外側部材２１０，２２０に関して任意の所望する場所に設けることができることを認識すべきである。説明を続けるに、バイアスばね４００はコイル４３０と、このコイル４３０の下端から延びている保持レッグ４４０と、コイル４３０の上端から延びているバイアスレッグ４５０とを包含する。より詳細には、ばね４００のコイル４３０の内径はコイル４３０の中にばねホルダー４１０を受け入れるような寸法とされている。保持レッグ４４０はレッグリテーナ５００により保持され、レッグリテーナ５００は端板６０の取付け面１１０から実質的に直角に延びている。したがって、ばね４００が使用の状態に置かれたときには、トーション力がバイアスレッグ４５０に付与される。バイアスレッグ４５０は、ブラシ３０の後端面のうしろに位置させられ、これによりブラシの前端を付勢して整流子２４との連続する電気的接触の状態にする。コイル４３０は、このコイル４３０が保持レッグ４４０及びバイアスレッグ４５０の両方に十分な力を付与することができるような“巻線”とすること又は予荷重されることが必要とされることを認識すべきである。
【００２６】
ばねホルダー４１０が同心的に配置した内側及び外側部材２１０，２２０により形成されて内部をブラシ３０が滑動する通路の中央部に配設されているので、バイアスレッグ４５０はブラシ３０がすり減ってもブラシ３０の同じ区域に力を加えることができることを認識すべきである。換言すれば、ブラシ３０を形成する材料が消耗してブラシが整流子２４に向かって滑動しても、バイアスレッグ４５０はブラシ３０のほぼ同じ区域に力を加える。その結果、ブラシ３０の作動寿命の間中ばね４００によりブラシ３０に加えられる力の大きさは実質的に一定である。その結果、整流子２４とブラシ３０との間に起るスパークの量は減少させられ、したがってブラシ３０の作動寿命を更に延ばす。
【００２７】
ブラシリテーナ２００Ａ及び２００Ｂを上述しかつ図７及び図８に見られるように構成することにより、保持したブラシのかなりの部分が露出されることを認識されよう。その結果、ブラシを減少した温度に維持するために、空気がブラシのまわりを流れることができる。実際に、ブラシの２つのみの表面（底面及び外側の曲面）が覆われ、ブラシの頂面のほとんどすべて及び内側の曲面のほとんどが露出されている。この構成は、また、リテーナの頂部開口及び側部開口がブラシのリテーナ内への容易の挿入を可能にするので、ブラシの取り付けを容易にすることを助ける。
【００２８】
以上述べたことから明らかなように、本発明のひとつの利益は、曲線状のブラシリテーナがブラシの長さを延ばすことができるように曲線状のブラシを保持することができることにある。本発明の他の利益は、曲線状のブラシリテーナを保持する端板の寸法を増大することなしに、ブラシの長さを延ばすことを行うことができることにある。本発明の更の他の利益は、曲線状のブラシホルダーがブラシの作動寿命の間中一定量の力を曲線状のブラシに対して与えるばねを提供することにある。
【００２９】
以上の説明から、本発明の目的が上述した構成により達成させられたことがわかったであろう。特許法の規定にしたがって最良の形態及び好適な実施例についてのみ詳細に述べたけれども、本発明はこのような特定の形態及び実施例に又はこれらにより限定されるものではないことを理解されよう。したがって、本発明の真の範囲を認識するためには、特許請求の範囲の記載を参照すべきである。
【図面の簡単な説明】
【００３０】
【図１】本発明の概念による、モータアセンブリ及びファンアセンブリを包含する電動モータ装置の分解斜視図である。
【図２】モータアセンブリを取り除いたファンアセンブリの斜視図であって、特に、曲線状のブラシリテーナ内に保持されている一対の曲線状のブラシを有する端板を示し、また端板が本発明の概念にしたがって端板に取り付けられているシュラウドを備えていることを示す。
【図３】端板の取付け端の平面図であって、本発明の概念による曲線状のブラシを示す。
【図４】シュラウドを取り付けていない端板の他の斜視図であって、本発明の概念による曲線状のブラシリテーナの構成部品を示す。
【図４Ａ】端板の更に他の斜視図であって、ブラシリテーナと関連するスロットを示す。
【図４Ｂ】本発明の概念による端板の更に他の斜視図を示す。
【図５】本発明の概念による端板の入口端の斜視図である。
【図６】曲線状のブラシを取り付けていない、本発明の概念による端板の平面である。
【図７】図６の線７−７に沿う、本発明の概念による端板の断面図である。
【図８】図６の線８−８に沿う、本発明の概念による端板の断面図である。
【図１】
2010119232.tif 000003
【図２】
2010119232.tif 000004
【図３】
2010119232.tif 000005
【図４】
2010119232.tif 000006
【図４Ａ】
2010119232.tif 000007
【図４Ｂ】
2010119232.tif 000008
【図５】
2010119232.tif 000009
【図６】
2010119232.tif 000010
【図７】
2010119232.tif 000011
【図８】
2010119232.tif 000012
【外国語明細書】
2010119232000001.pdf
2010119232000002.pdf
2010119232000003.pdf
2010119232000004.pdf